(57)【要約】【課題】収容体とソケットの少なくとも一方が取り付けられる部分に、振動の減衰及び衝撃の吸収を行える外的付加吸収部材を設けることにより、収容体とソケットとの接続部における電気的な接触不良を防止する。【解決手段】プログラムＲＯＭ１７及びデータＲＯＭ１８を収容するＲＯＭカートリッジ２０の接続端子２０ａは、ソケット２５と電気的に接続されるようになっており、振動吸収性の材質からなる外的付加吸収部材２２は、台座２１とＲＯＭカートリッジ２０との間隙を埋めるように配設され、接続端子２０ａとソケット２５との接続部に加わる振動及び衝撃を吸収する。【選択図】        図５
2004254895.tif 000002
【特許請求の範囲】
【請求項１】
電気信号を伝達するために接続される接続部を備えた遊技機において、
前記接続部は第１連結部材と第２連結部材とが連通されることによって電気信号を伝達することが可能となるようにする接続手段であって、
前記第１連結部材が設けられ、遊技機本体に対し、取り付け得るようにされた装着部材と、
前記第２連結部材が設けられ、前記装着部材を取り付け得るようにされた遊技機本体と、
前記装着部材と前記遊技機本体との少なくとも一方に設けられ、前記接続部に加わる振動の減衰、及び衝撃の緩衝を行う外的付加吸収部材とを設けたことを特徴とする遊技機。
【請求項２】
前記外的付加吸収部材は、振動及び衝撃が発生し易い部分または該部分と直接的に係合されている前記接続手段を保持する部分と、前記接続部との間に、前記第１連結部材と第２連結部材との連通における電気信号の伝達を害する、振動及び衝撃を防ぐよう配設されることを特徴とする請求項１記載の遊技機。
【請求項３】
前記第１連結部材は、遊技機に設けられた制御装置が少なくとも遊技状態を制御する際に用いる、遊技制御データを記憶した記憶媒体に基づいて電気信号を伝達し得るようにした記憶媒体収容部材であることを特徴とする請求項１または請求項２記載の遊技機。
【請求項４】
前記遊技機本体に対し、交換自在な装着部材に、前記第１連結部材は設けられており、該装着部材を前記第２連結部材を設けた遊技機本体に取り付けることに伴って、前記第１連結部材と第２連結部材とが連通され、電気信号を伝達することが可能となることを特徴とする請求項１〜３のいずれか１つに記載の遊技機。
【請求項５】
前記外的付加吸収部材は、前記第１連結部材または第２連結部材のいずれか一方に対して放射される、電磁波を遮断する構成にて形成されていることを特徴とする請求項１〜４のいずれか１つに記載の遊技機。
【請求項６】
前記外的付加吸収部材は、前記第１連結部材または第２連結部材のいずれか一方に対して放射される、静電気を遮断する構成にて形成されていることを特徴とする請求項１〜５のいずれか１つに記載の遊技機。
【発明の詳細な説明】
【０００１】
【発明の属する技術分野】
本発明は、パチンコ店などの遊技場に設置して使用される遊技機に関するものである。
【０００２】
【従来の技術】
遊技場に設置される遊技機としてパチンコ機が上げられる。パチンコ機には本体枠内に遊技盤が配設されており、その遊技盤の前面には開閉自在な前面枠が設けれられている。このようなパチンコ機では、遊技場に設置されている状態で、且つ前面枠が閉じられているときには、何人もパチンコ機の内部の遊技盤や電子機器等には触れることができないようになっている。なお、遊技場の作業者がパチンコ機の内部に触れる必要があるときには、前面枠を開いて作業を行うことになる。
【０００３】
このようなパチンコ機は、新たな機種に切り替える場合、設置されていた古い機種を新たな機種に交換するべくパチンコ機本体ごとに全て入れ替えることが一般的である。しかし、パチンコ機を構成する部品には共通の部品を多く用いているため、交換する必要のない部品まで交換することにより、結果的にコストアップの原因となる。このため、共通して利用できる部品を備えた部分を遊技場に据え置きにし、新たに変更となる部分のみを入れ替えることが現在検討されている。この場合、パチンコ機での基本動作（パチンコ球の打ち出しや入賞による払い出し）を行うための装置やスピーカー及びランプ等の演出装置をパチンコ機の機関部材となる本体枠に取り付けておき、特定の遊技領域が設けられた遊技盤やゲームのプログラムが記憶されているＲＯＭ（Ｒｅａｄ  Ｏｎｌｙ  Ｍｅｍｏｒｙ）等の情報記憶媒体を該本体枠に対し変更することで機種交換時においてコストダウンを行うことが可能となる。
【０００４】
したがって、ゲームのプログラムが記憶されているＲＯＭ等の情報記憶媒体を、コネクタ等からなる接続端子を備えたカートリッジ状の連結部材となる収容体に収容し、嵌合部となるコネクタと嵌装させることで該接続端子と当接して電気信号を伝達可能となるソケットを用いて、該ソケットとの嵌装によって収容体内に備えられた情報記憶媒体と遊技機内の制御装置などの電子機器とを電気的に接続されるようにすることで、機種交換時における早期化を図ることが可能となる。そして出願人は、該収容体を前記本体枠と一体となるようにした装着部材の１つとなる遊技盤にて固定し、該遊技盤を本体枠に取り付けることで同時に収容体とソケットとが嵌合して電気的接続をされるようにする、または、該収容体を介して本体枠側に設けられた通信装置にて赤外線通信などの非接触による電気的接続をすることで、機種交換における手間を簡素化できるよう現在開発している。
【０００５】
【発明が解決しようとする課題】
しかしながら、上記のような遊技機の場合、収容体及びソケットはそれぞれ遊技盤及び本体枠に対して直接的に固定して設置しているため、遊技機内に設けられたパチンコ球を打ち出す装置やパチンコ球を払い出す装置等の作動で生じる振動や衝撃の影響を、収容体とソケットとの接続部は強く受けてしまい、電気信号を伝達可能とする該接続部において電気的な接触不良が発生し易かった。
【０００６】
本発明は、上記従来技術の問題を解決するためになされたものであり、収容体とソケットの少なくとも一方が取り付けられる部分に、振動の減衰及び衝撃の緩衝を行える外的付加吸収部材を設けることにより、収容体とソケットとの接続部における電気的な接触不良を防止または抑制することができるようにした遊技機を提供することを目的とする。
【０００７】
【課題を解決するための手段】
上記目的を達成するために、本発明の遊技機は、電気信号を伝達するために接続される接続部を備えたものであって、前記接続部は第１連結部材と第２連結部材とが連通されることによって電気信号を伝達することが可能となるようにする接続手段であって、前記第１連結部材が設けられ、遊技機本体に対し、取り付け得るようにされた装着部材と、前記第２連結部材が設けられ、前記装着部材を取り付け得るようにされた遊技機本体と、前記装着部材と前記遊技機本体との少なくとも一方に設けられ、前記接続部に加わる振動の減衰、及び衝撃の緩衝を行う外的付加吸収部材とを設けたことを特徴とするものである。
【０００８】
また、前記外的付加吸収部材は、振動及び衝撃が発生し易い部分または該部分と直接的に係合されている前記接続手段を保持する部分と、前記接続部との間に、前記第１連結部材と第２連結部材との連通における電気信号の伝達を害する、振動及び衝撃を防ぐよう配設されることが好適である。即ち、前記外的付加吸収部材は、振動及び衝撃が発生し易い部分と前記接続部との間の適宜の位置に設けることによって、前記第１連結部材と第２連結部材との連通における電気信号の伝達を害する振動及び衝撃の影響を防ぐことができる。
【０００９】
また、前記第１連結部材は、遊技機に設けられた制御装置が少なくとも遊技状態を制御する際に用いる、遊技制御データを記憶した記憶媒体に基づいて電気信号を伝達し得るようにした記憶媒体収容部材であることが好適である。即ち、前記外的付加吸収部材を前記装着部材と該収容部材との間に設けることによって、遊技機の作動時に行われる、遊技制御データを記憶した記憶媒体収容部材に基づいて、遊技機に設けられた制御装置を制御させる際に行われる電気的信号の授受にエラーが生じることを防止または抑止することができる。
【００１０】
また、前記遊技機本体に対し、交換自在な装着部材に、前記第１連結部材は設けられており、該装着部材を前記第２連結部材を設けた遊技機本体に取り付けることに伴って、前記第１連結部材と第２連結部材とが連通され、電気信号を伝達することが可能となることが好適である。即ち、少なくとも交換自在な装着部材には、遊技機本体に取り付けられているときに生じる振動及び衝撃の影響が大きいため、該装着部材と第１連結部材との間の適宜の位置に前記外的付加吸収部材を設けると前記接続部における保護においても効果的である。
【００１１】
また、前記外的付加吸収部材は、前記第１連結部材または第２連結部材のいずれか一方に対して放射される、電磁波を遮断する構成にて形成されていることが好適である。即ち、電気信号を伝達するときにおける誤作動を防止または抑制することができる。
【００１２】
また、前記外的付加吸収部材は、前記第１連結部材または第２連結部材のいずれか一方に対して放射される、静電気を遮断する構成にて形成されていることが好適である。即ち、電気信号を伝達するときにおける誤作動を防止または抑制することができる。
【００１３】
【発明の実施の形態】
図１に本発明を用いたパチンコ機の外観を示す。パチンコ機２の本体枠３の内部には遊技盤４が配設されており、遊技盤４の前面には前面枠５が開閉自在に設けられている。この前面枠５の中央には開口５ａが形成されており、この開口５ａは前面枠５の裏側に取り付けられるガラス枠６（図２参照）のガラス板７により遮蔽されている。前面枠５の下方には、打球供給用の供給皿８及び遊技媒体となるパチンコ球の打ち出し強さを調節する操作ハンドル９が設けられている。遊技者が供給皿８にパチンコ球を投入すると、内部に設けられた通路によりパチンコ球は発射装置へと誘導される。そして、操作ハンドル９を操作して遊技盤４上にパチンコ球を打ち出す。なお、前面枠５が閉じている状態である場合には、遊技者や遊技場の作業者は、前面枠５の裏側に取り付けられたガラス板７を介して遊技盤４の遊技領域４ａ（図２に図示）及び遊技領域４ａ上を流下していくパチンコ球を見ることはできるが、遊技盤４にはもちろんのこと、本体枠３の内部に備えられた制御装置などの電子機器にも触れることはできないようになっている。
【００１４】
図２に示すように、遊技盤４は、本体枠３に対して着脱自在に取り付けられ、所定位置に保持されるようになっている。この遊技盤４上にはガイドレール１０に囲まれた遊技領域４ａが形成され、始動入賞口１２、通常入賞口１３、アタッカ１４等の所定入賞口、及びアウト口１５が配設されている。また、遊技領域４ａには、図示を省略した釘、風車などが設けられている。これらの構造物は公知であるので説明は省略する。前面枠５を開放することで、遊技場の作業者がこれらの遊技領域４ａに設けられた構造物の調整などを行うことができるようになる。なお、遊技盤４の本体枠３への取付方法については図示はしないが、例えばねじ止めにより本体枠３に組み付けたり、本体枠３又は遊技盤４の少なくともいずれか一方にストッパ等の保持部材を設けて遊技盤４を本体枠３の所定位置に保持したり等、パチンコ機２の構成等を考慮して、適宜本体枠３に組み付けるようにして良い。また、図示はしないが、本体枠３には電源装置、パチンコ球発射装置及び払出し装置等が、前面枠５にはスピーカ及びランプ等の演出装置がそれぞれ取り付けられている。
【００１５】
図３に示すように、遊技盤４の後面には、パチンコ機２でのメインプログラム、及び、液晶表示（ＬＣＤ）パネルユニット（図柄表示装置）１１での演出プログラム、及び、遊技状態に基づいて制御させるプログラム等が記憶されたプログラムＲＯＭ１７と、ＬＣＤパネルユニット１１で表示する画像データ、及び、制御プログラムにて生成される情報に基づいて作動制御を実行させるデータ等が記憶されているデータＲＯＭ（情報記憶媒体）１８とを内部に収容する収容体であるＲＯＭカートリッジ２０が、台座２１と外的付加吸収部材２２を介して取り付けられている。ＲＯＭカートリッジ２０の一端には接続端子（コネクタ）２０ａが形成されており、接続端子２０ａが、遊技機の制御に係わる主要部を処理するＣＰＵを備えた主制御回路基板（装置）２３のケーブル２４の一端に取り付けられたソケット２５と、台座収容部３１ｃ内で接続されることで、プログラムＲＯＭ１７及びデータＲＯＭ１８と主制御回路基板２３上の回路（主制御回路）とが電気的に接続され、電気信号を伝達し得るようになる。このように、ＲＯＭカートリッジ２０は第１連結部材として、装着部材となる遊技盤４に設けられ、接続端子２０ａはソケット２５との接続時における接続部として、ソケット２５は本体枠３に設けられる第２連結部材として機能するとともに、ＲＯＭカートリッジ２０とソケット２５は嵌合することによって電気信号を伝達することが可能になる接続手段として機能する。。
【００１６】
遊技盤４と本体枠３とを取り付ける中間部材として、球通路ユニット３０がパチンコ機２には設けられている。この球通路ユニット３０は、ＬＣＤパネルユニット１１、主制御回路基板２３、支持体３１、演出制御回路基板（装置）３２等から構成され、支持体３１の前面側にＬＣＤパネルユニット１１が、その後面側に主制御回路基板２３及び演出制御回路基板３２が組み付けられる構成となっている。なお、この支持体３１の内側には、複数のリブ３１ａが設けられ、これらリブ３１ａにより球通路３１ｂが形成されている。これにより、始動入賞口１２や通常入賞口１３等に入ったパチンコ球が所定の位置へと誘導され、回収し得るようになる。また、支持体３１には、ＲＯＭカートリッジ２０及び台座２１及び外的付加吸収部材２２が挿入される空間である台座収容部３１ｃが設けられている。なお、各回路基板（装置）は保護部材（図示せず）により被覆されるロック構成になっており、各回路基板の付け替え等の不正行為ができないようになっている。また、ＬＣＤパネルユニット１１及び主制御回路基板２３、演出制御回路基板３２等の各種回路基板（装置）はそれぞれケーブル３３、３４により接続されている。なお、この球通路ユニット３０の本体枠３への取付方法は、例えば係止爪等のストッパにより、本体枠３の所定位置に保持させる等、適宜の方法を用いて良い。
【００１７】
ＲＯＭカートリッジ２０及び台座２１及び外的付加吸収部材２２の外観を図４に斜視図で示す。また、ＲＯＭカートリッジ２０及び台座２１及び外的付加吸収部材２２が遊技盤４と一体となるように取り付けられているときの断面図を図５に示す。外的付加吸収部材２２は、台座２１とＲＯＭカートリッジ２０との間隙を埋めるように配設されている。外的付加吸収部材２２の材質は、振動吸収性を持ったウレタンゴム等の弾性材であって、接続端子２０ａとソケット２５との接続部に加わる振動及び衝撃を吸収する。
【００１８】
ＲＯＭカートリッジ２０には、封印処理を行うため係止爪２０ｂが突設されている。係止爪２０ｂは、ＲＯＭカートリッジ２０が台座２１内に収容されたときに、台座２１の内側に突設されている係止片２１ａと係合し、ＲＯＭカートリッジ２０を所定位置に保持する。なお、このＲＯＭカートリッジ２０を取り外す際には、係止爪２０ｂを破壊しなければ台座２１より抜けないようになっており、これにより、ＲＯＭカートリッジ２０の不正な付け替え等を防止することができる。
【００１９】
次に、このようにして形成されたパチンコ機の作用について説明する。パチンコ機２の製造時には、電源装置、パチンコ球発射装置及び払い出し装置等を本体枠３に、スピーカやランプ等の演出装置を前面枠５に組み込む。その後、これらの装置を作動制御するための制御用回路装置（払い出し制御回路基板及び発射制御回路基板等）を本体枠３に取り付ける。次に、ＬＣＤパネルユニット１１及び主制御回路基板２３及び演出回路基板３２が、球通路３１ｂを有する支持体３１に組み込まれた、球通路ユニット３０を本体枠３の所定位置に取り付け、本体枠３または前面枠５等に組み込まれた適宜コネクタ等を用いて接続させ、電気信号を伝達し得るようにする。その後、主制御回路基板２３と、払い出し制御回路基板及び発射制御回路基板とをコネクタ等の接続手段により接続させ、電気信号を伝達し得るようにする。
【００２０】
そして、ＲＯＭカートリッジ２０が取り付けられた遊技盤４を本体枠３の所定位置に組み込まれた球通路ユニット３０に対して取り付けると、接続端子２０ａは、台座収容部３１ｃ内においてソケット２５へと嵌合して接続され、電気信号を伝達し得るようになる。なお、本発明において、球通路ユニット３０と遊技盤４とを固定手段を用いた所定の取り付け方法にて着脱自在に接続した装着部材としてＲＯＭカートリッジ２０を設けて、ソケット２５が設けられた本体枠３の所定位置に固定するようにしてもよい。そして、主電源をオンすると、主制御回路ではプログラムＲＯＭ（情報記憶媒体）１７及びデータＲＯＭ１８から、メインプログラム、演出プログラム及び画像データ等を読み出して、例えばＬＣＤパネルユニット１１に待機中の演出となる画像を表示させる。その後、主電源をオフにすることで、前記データの読み出しを中止させて画像の表示を終了させる。最後に、前面枠５を閉じることにより、パチンコ機２が完成する。完成したパチンコ機２は、遊技場の所定位置に設置される。
【００２１】
遊技機２が作動しているときには、遊技機２の内部に配設された、パチンコ球を打ち出す発射装置や、パチンコ球を払い出す装置等が駆動され、さまざまな振動及び衝撃が遊技機２内に発生する。このとき、ＲＯＭカートリッジ２０と台座２１との間隙に設けられた外的付加吸収部材２２は、接続端子２０ａとソケット２５との接続部に加わる振動及び衝撃を吸収し、該接続部における電気的接触不良を防止する。なお、外的付加吸収部材２２は、パチンコ球の流動により生じる電磁波または静電気に対しても抑制し得る性能をもたせると好適である。したがって、電磁波を抑制するものとして、材質に導電性繊維や導電プラスチック、電磁波シールドゴムなどを用いると好適であり、静電気を抑制するものとして、材質に絶縁性ゴムなどを用いると好適であり、さらには、これらを適宜組み合わせることにより、電磁波及び静電気を抑制し得るようにすると好適である。
【００２２】
なお、上記実施形態では、外的付加吸収部材は第１連結部材である接続端子２０ａ側にのみ設けられていたが、外的付加吸収部材を、第２連結部材であるソケット２５側に設けても良い。外的付加吸収部材をソケット２５側に設けた例を図６に示す。
【００２３】
図６の実施例では、ＲＯＭカートリッジ２０は、本体枠３に対し着脱自在な支持体３５に取り付けられ、外的付加吸収部材２２は、ＲＯＭカートリッジ２０と支持体３５との間隙を埋めるように配設されている。外的付加吸収部材２２の材質は、振動吸収性を持ったウレタンゴム等の弾性材であって、接続端子２０ａとソケット２５との接続部に加わる振動及び衝撃を吸収する。
【００２４】
ソケット２５は、主制御回路基板３６上に実装されており、主制御回路基板３６と一体となっている。そして、主制御回路基板３６は板状のソケット側外的付加吸収部材３７を介して、本体枠３側に固定された支持部材３８に取り付けられている。演出制御回路基板３２等の各種回路基板（装置）も、それぞれ支持部材３８に取り付けられている。ＬＣＤパネルユニット１１及び主制御回路基板３６、演出制御回路基板３２等の各種回路基板（装置）はそれぞれケーブル３３、３４により接続されている。ソケット側外的付加吸収部材３７の材質は、振動吸収性を持ったウレタンゴム等の弾性材であって、接続端子２０ａとソケット２５との接続部に加わる振動及び衝撃を吸収する。
【００２５】
また、上記実施形態では、外的付加吸収部材として振動吸収性を持ったウレタンゴム等の弾性体を用いたが、接続端子２０ａとソケット２５との勘合に基づく接続部における振動及び衝撃を吸収できるものであればこれに限られず、例えば、バネなどを組み合わせたものでも良い。外的吸収部材としてバネを組み合わせたものを用いた場合の例を図７に示す。図７に示すように、ソケット２５が実装された主制御回路基板３６を固定板４０に取り付け、固定板４０をバネ４１を介して支持部材３８に取り付ける。バネ４１は、接続端子２０ａとソケット２５との嵌合に基づく接続部に加わる振動及び衝撃を吸収する。このように、固定板４０及びバネ４１は、外的付加吸収部材として機能する。
【００２６】
また、上記実施形態では、第１連結部材は情報記憶媒体に格納された情報を電気信号として制御装置へと伝達し得るように該記憶媒体を収容したＲＯＭカートリッジであったが、例えば、情報記憶媒体と接続端子を外側に露出させたコネクタとを実装した基板などとしても良いし、装着部材も遊技機本体に対し取り付けできるものであれば適宜の態様を用いて良い。
【００２７】
また、上記実施形態では、本発明をパチンコ機に用いたが、第１連結部材と第２連結部材とを連通することによって電気信号を伝達することを可能とする接続手段となる構成であるものであれば、スロットマシン等の遊技機に用いても良い。
【００２８】
また、上記実施形態では、第１連結部材（ＲＯＭカートリッジ）と第２連結部材（ソケット）を嵌合させることにより電気信号を伝達させるようにしたが、記憶媒体を収容した第１連結部材に対し該記憶媒体内に格納した所定遊技情報を送信可能な送信装置を設け、第２連結部材に対し送信された前記所定遊技情報を受信可能な受信装置を設け、この第１連結部材（送信装置）と第２連結部材（受信装置）とによる非接触通信にて連通させることにより、電気信号を伝達させるようにしたものでも良い。
【００２９】
【発明の効果】
以上のように、本発明の遊技機によれば、第１連結部材と第２連結部材の少なくとも一方が取り付けられる部分に設けた外的付加吸収部材によって、電気信号を伝達するために接続される接続部に加わる振動及び衝撃を少なくとも吸収するので、該接続部における電気的な接触不良を防止することができる。
【図面の簡単な説明】
【図１】本発明を実施した遊技機の外観を示す斜視図である。
【図２】本体枠と遊技盤とを分解した状態を示す斜視図である。
【図３】遊技盤及び球通路ユニットの構成を示す説明図である。
【図４】ＲＯＭカートリッジ及び台座及び外的付加吸収部材の外観を示す斜視図である。
【図５】ＲＯＭカートリッジ及び台座及び外的付加吸収部材の断面図である。
【図６】図３と別の実施形態の、遊技盤及び球通路ユニットの構成を示す説明図である。
【図７】図６と別の実施形態の、ソケット側外的付加吸収部材を示す説明図である。
【符号の説明】
２  パチンコ機
３  本体枠
４  遊技盤
５  前面枠
１７  プログラムＲＯＭ
１８  データＲＯＭ
２０  ＲＯＭカートリッジ
２０ａ  接続端子
２２  外的付加吸収部材
２３、３６  主制御回路基板
２５  ソケット
３０  球通路ユニット
３１、３５  支持体
３７  ソケット側外的吸収部材
４０  固定板
４１  バネ
【図１】
2004254895.tif 000003
【図２】
2004254895.tif 000004
【図３】
2004254895.tif 000005
【図４】
2004254895.tif 000006
【図５】
2004254895.tif 000007
【図６】
2004254895.tif 000008
【図７】
2004254895.tif 000009